Podtech/llm-jp-corpus-v4-ja_patent huggingface dataset:
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
ステッピングモータの駆動を制御する制御装置であって、
前記ステッピングモータを駆動するための駆動信号パターンの変化をカウントする第１カウント手段と、
前記ステッピングモータの回転に応じて出力される信号の変化をカウントする第２カウント手段と、
前記第１カウント手段の出力と前記第２カウント手段の出力に基づいて前記ステッピングモータが脱調しているか否かの判定である脱調判定を行う脱調判定部を有し、
前記脱調判定部は、前記ステッピングモータが第１駆動方式で駆動されているときと比較して、前記第１駆動方式よりも前記ステッピングモータの振動が大きい第２駆動方式で駆動されているときに、脱調していると判定されにくいように前記脱調判定を行うことを特徴とする制御装置。
【請求項２】
前記脱調判定部は、前記第１カウント手段の出力と前記第２カウント手段の出力の分解能を合わせたときの前記第１カウント手段の出力と前記第２カウント手段の出力の差分が閾値を超えていた場合に、前記ステッピングモータが脱調していると判定することを特徴とする請求項１に記載の制御装置。
【請求項３】
前記ステッピングモータを前記第１駆動方式で駆動する場合の閾値は、前記ステッピングモータを前記第２駆動方式で駆動する場合の閾値よりも小さいことを特徴とする請求項２に記載の制御装置。
【請求項４】
前記第１駆動方式において前記ステッピングモータに印加される駆動波形は連続的に変化し、前記第２駆動方式において前記ステッピングモータに印加される駆動波形は不連続であることを特徴とする請求項１乃至３のいずれか１項に記載の制御装置。
【請求項５】
前記第１駆動方式において前記ステッピングモータに印加される駆動波形は、正弦波波形であり、第２駆動方式において前記ステッピングモータに印加される駆動波形は、矩形波波形であることを特徴とする請求項４に記載の制御装置。
【請求項６】
前記第１駆動方式による前記第１カウント手段の出力の分解能は、前記第２駆動方式による前記第１カウント手段の出力の分解能より高いことを特徴とする請求項１乃至５のいずれか１項に記載の制御装置。
【請求項７】
ステッピングモータと、
前記ステッピングモータの駆動を制御する制御ユニットと、
を有する装置であって、
前記制御ユニットは、
前記ステッピングモータを駆動するための駆動信号パターンの変化をカウントする第１カウント手段と、
前記ステッピングモータの回転に応じて出力される信号の変化をカウントする第２カウント手段と、
前記第１カウント手段の出力と前記第２カウント手段の出力に基づいて前記ステッピングモータが脱調しているか否かの判定である脱調判定を行う脱調判定部を有し、
前記脱調判定部は、前記ステッピングモータが第１駆動方式で駆動されているときと比較して、前記第１駆動方式よりも振動の大きい第２駆動方式で駆動されているときに、脱調していると判定されにくいように前記脱調判定を行うことを特徴とする装置。
【請求項８】
前記ステッピングモータの回転に応じた信号を出力する検出手段を更に有することを特徴とする請求項７に記載の装置。
【請求項９】
撮影モードを動画撮影モードと静止画撮影モードに設定可能な撮影モード設定手段をさらに有し、
前記制御ユニットは、前記撮影モード設定手段により前記動画撮影モードに設定された場合は、前記第１駆動方式で前記ステッピングモータを駆動し、前記撮影モード設定手段により前記静止画撮影モードに設定された場合は、前記第２駆動方式で前記ステッピングモータを駆動することを特徴とする請求項７または８に記載の装置。
【手続補正２】
【補正対象書類名】明細書
【補正対象項目名】発明の名称
【補正方法】変更
【補正の内容】
【発明の名称】ステッピングモータの制御装置
【手続補正３】
【補正対象書類名】明細書
【補正対象項目名】０００５
【補正方法】変更
【補正の内容】
【０００５】
本発明は、ステッピングモータの脱調検出を迅速に行い、誤検出を低減することが可能な制御装置を提供することを例示的な目的とする。
【手続補正４】
【補正対象書類名】明細書
【補正対象項目名】０００６
【補正方法】変更
【補正の内容】
【０００６】
本発明の制御装置は、ステッピングモータの駆動を制御する制御装置であって、前記ステッピングモータを駆動するための駆動信号パターンの変化をカウントする第１カウント手段と、前記ステッピングモータの回転に応じて出力される信号の変化をカウントする第２カウント手段と、前記第１カウント手段の出力に基づいて前記ステッピングモータが脱調しているか否かの判定である脱調判定を行う脱調判定部を有し、前記脱調判定部は、前記ステッピングモータが第１駆動方式で駆動されているときと比較して、前記第１駆動方式よりも前記ステッピングモータの振動が大きい第２駆動方式で駆動されているときに、脱調していると判定されにくいように前記脱調判定を行うことを特徴とする。
【手続補正５】
【補正対象書類名】明細書
【補正対象項目名】０００７
【補正方法】変更
【補正の内容】
【０００７】
本発明によれば、ステッピングモータの脱調検出を迅速に行い、誤検出を低減することが可能な制御装置を提供することができる。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
テラヘルツ波を発振する発振器であって、
負性抵抗素子と、
第１の導体、第２の導体、及び誘電体、を含む共振器と、
前記負性抵抗素子にバイアス電圧を供給する線路と、を有し、
前記負性抵抗素子及び前記誘電体は、前記第１の導体と前記第２の導体との間に配置されており、
前記第１の導体と前記線路とは、前記共振器に定在する前記テラヘルツ波の電界の節で接続している
ことを特徴とする発振器。
【請求項２】
自然対数の底をｅとすると、
前記テラヘルツ波の電界の節は、前記共振器に定在する前記テラヘルツ波の電界の強度が最大電界強度の１／ｅ２以下となる領域である
ことを特徴とする請求項１に記載の発振器。
【請求項３】
前記テラヘルツ波の周波数における前記線路及び前記バイアス回路は、高インピーダンスである
ことを特徴とする請求項１又は２に記載の発振器。
【請求項４】
前記負性抵抗素子は、前記第１の導体の重心からシフトした位置に配置されており、
前記第１の導体と前記線路は、前記第１の導体の重心と前記負性抵抗素子とを結ぶ直線と直交し且つ前記重心を通る直線から前記負性抵抗素子に近づく又は遠ざかる位置で接続している
ことを特徴とする請求項１乃至３のいずれか一項に記載の発振器。
【請求項５】
前記負性抵抗素子は、容量性リアクタンスを有し、
前記第１の導体と前記線路は、前記第１の導体の重心と前記負性抵抗素子とを結ぶ直線と直交し且つ前記重心を通る直線から前記負性抵抗素子に近づく位置で接続している
ことを特徴とする請求項４に記載の発振器。
【請求項６】
前記負性抵抗素子は、誘導性リアクタンスを有し、
前記第１の導体と前記線路は、前記第１の導体の重心と前記負性抵抗素子とを結ぶ直線と直交し且つ前記重心を通る直線から前記負性抵抗素子に遠ざかる位置で接続している
ことを特徴とする請求項４に記載の発振器。
【請求項７】
複数の前記負性抵抗素子を有する
ことを特徴とする請求項１乃至６のいずれか一項に記載の発振器。
【請求項８】
複数の前記負性抵抗素子は、前記第１の導体の重心と前記負性抵抗素子とを結ぶ直線と直交し且つ前記重心を通る直線を軸に線対称となるように配置されている
ことを特徴とする請求項７に記載の発振器。
【請求項９】
前記テラヘルツ波の周波数は、前記共振器の共振周波数と異なる周波数である
ことを特徴とする請求項１乃至８のいずれか一項に記載の発振器。
【請求項１０】
複数の前記線路を有する
ことを特徴とする請求項１乃至９のいずれか一項に記載の発振器。
【請求項１１】
複数の前記線路は、前記第１の導体の重心と前記負性抵抗素子とを結ぶ直線に対して対称に配置されている
ことを特徴とする請求項１０に記載の発振器。
【請求項１２】
前記線路と前記バイアス回路との間に、前記負性抵抗素子と並列に接続された容量及び抵抗を有する
ことを特徴とする請求項１乃至１１のいずれか一項に記載の発振器。
【請求項１３】
前記共振器は、パッチアンテナを含む
ことを特徴とする請求項１乃至１２のいずれか一項に記載の発振器。
【請求項１４】
前記テラヘルツ波の波長をλｏｓｃとすると、前記線路の長さが（２ｍ−１）λｏｓｃ／４（ｍ：自然数）である
ことを特徴とする請求項１乃至１３のいずれか一項に記載の発振器。
【請求項１５】
前記負性抵抗素子は、共鳴トンネルダイオードを含む
ことを特徴とする請求項１乃至１４のいずれか一項に記載の発振器。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
入力した画像データの各ページが白紙か否かを判定する判定手段と、
前記入力した画像データの各ページに対応するプレビュー画像を表示部に表示させる表示制御手段と、
前記表示部に表示されておらず前記判定手段により白紙と判定されたページのプレビュー画像を前記表示部に表示させるための指示をする指示手段と、を有し、
前記表示制御手段は、前記指示手段での指示に基づいて、前記表示部に表示されておらず前記判定手段により白紙と判定されたページのプレビュー画像と該ページに隣接する少なくても１ページのプレビュー画像とを前記表示部に表示させることを特徴とする画像処理装置。
【請求項２】
前記指示手段は、前記判定手段により白紙と判定されたページのうち前記表示部にプレビュー画像が表示中のページに一番近いページのプレビュー画像を前記表示部に表示させるための指示をすることを特徴とする請求項１記載の画像処理装置。
【請求項３】
前記指示手段は、前記判定手段により白紙と判定されたページのうち前記判定手段により白紙と判定されており前記表示部にプレビュー画像が表示中のページに一番近いページのプレビュー画像を前記表示部に表示させるための指示をすることを特徴とする請求項１記載の画像処理装置。
【請求項４】
前記表示部に表示されており、前記判定手段により白紙と判定されたページのプレビュー画像に対して削除させる指示をすると、前記入力した複数の画像データを送信する際に、
前記入力した複数のデータから前記指示されたプレビュー画像に対応するページを削除して送信することを特徴とする請求項１記載の画像処理装置。
【請求項５】
前記表示部にて表示されており、前記判定手段により白紙と判定されたページのプレビュー画像に対して残す指示をすると、前記入力した複数の画像データを送信する際に、前記入力した複数のデータから前記指示されたプレビュー画像に対応するページを削除せずに送信することを特徴とする請求項１記載の画像処理装置。
【請求項６】
前記入力された画像データのうち、前記表示部に表示されており前記判定手段により白紙と判定されたページのプレビュー画像に対応するページより後に入力され、前記判定手段により白紙と判定されたページ数を前記表示部に表示することを特徴とする請求項１記載の画像処理装置。
【請求項７】
前記入力された画像データのうち、前記表示部に表示されており前記判定手段により白紙と判定されたページのプレビュー画像に対応するページより先に入力され、前記判定手段により白紙と判定されたページの数を前記表示部に表示することを特徴とする請求項１記載の画像処理装置。
【請求項８】
入力した画像データの各ページが白紙か否かを判定する判定ステップと、
前記入力した画像データの各ページに対応するプレビュー画像を表示部に表示させる表示制御ステップと、
前記表示部に表示されておらず前記判定ステップにて白紙と判定されたページのプレビュー画像を前記表示部に表示させるための指示をする指示ステップと、を有し、
前記指示ステップでの指示に基づいて、前記表示部に表示されておらず前記判定ステップにて白紙と判定されたページのプレビュー画像と該ページに隣接する少なくても１ページのプレビュー画像とを前記表示部に表示させることを特徴とする画像処理方法。
【請求項９】
コンピュータに請求項８の画像処理方法を実行させるためのプログラム。
【手続補正２】
【補正対象書類名】明細書
【補正対象項目名】０００７
【補正方法】変更
【補正の内容】
【０００７】
上記課題を解決すべく本発明の画像処理装置は、入力した画像データの各ページが白紙か否かを判定する判定手段と、前記入力した画像データの各ページに対応するプレビュー画像を表示部に表示させる表示制御手段と、前記表示部に表示されておらず前記判定手段により白紙と判定されたページのプレビュー画像を前記表示部に表示させるための指示をする指示手段と、を有し、前記表示制御手段は、前記指示手段での指示に基づいて、前記表示部に表示されておらず前記判定手段により白紙と判定されたページのプレビュー画像と該ページに隣接する少なくても１ページのプレビュー画像とを前記表示部に表示させることを特徴とする。
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
演出表示を行うための演出表示手段と、
前記演出表示手段で表示させる演出表示の内容に関する説明の演出を行う説明演出手段と、
遊技中に前記演出表示手段で行われる演出表示の際に、前記説明演出手段で行われる前記演出表示の内容に関する説明を決定する説明演出決定手段と、
遊技者を識別する遊技者情報及び前記遊技者が行った遊技内容の履歴を示す遊技履歴情報を管理する情報管理装置に登録された遊技者からのログイン要求に関するログイン要求情報を受け付ける受付手段と、
前記受付手段にて受け付けられた前記ログイン要求情報に含まれるデータであって、前記ログイン要求を伴って遊技を行うと記録される遊技機の利用履歴が所定の計数条件を満たすと計数される利用回数を記憶する利用回数記憶手段と、
を備え、
前記説明演出手段は、演出表示の内容に関する説明の演出内容を、演出内容に応じて複数のグループに分けて記憶しており、
前記説明演出決定手段は、前記記憶手段にて記憶された前記利用回数に基づいて前記遊技者の遊技経験を判定し、該判定した前記遊技者の遊技経験に基づいて前記説明演出手段に記憶された前記複数のグループを選定し、さらに、該選定したグループの演出内容から１つの演出内容を選定して説明の演出を行うことを特徴とする遊技機。
【手続補正２】
【補正対象書類名】明細書
【補正対象項目名】０００８
【補正方法】変更
【補正の内容】
【０００８】
上記「発明が解決しようとする課題」において述べた問題を解決するためになされた発明は、演出表示を行うための演出表示手段（１０８）と、前記演出表示手段（１０８）で表示させる演出表示の内容に関する説明の演出を行う説明演出手段（４５０，Ｓ２３１２，Ｓ２３１４）と、遊技中に前記演出表示手段で行われる演出表示の際に、前記説明演出手段で行われる前記演出表示の内容に関する説明を決定する説明演出決定手段（４５０，Ｓ１８３４）と、遊技者を識別する遊技者情報及び前記遊技者が行った遊技内容の履歴を示す遊技履歴情報を管理する情報管理装置（３１５０）に登録された遊技者からのログイン要求に関するログイン要求情報を受け付ける受付手段（１４５）と、前記受付手段にて受け付けられた前記ログイン要求情報に含まれるデータであって、前記ログイン要求を伴って遊技を行うと記録される遊技機の利用履歴が所定の計数条件を満たすと計数される利用回数を記憶する利用回数記憶手段（４５３）と、を備え、前記説明演出手段（４５０，Ｓ２３１２，Ｓ２３１４）は、演出表示の内容に関する説明の演出内容を、演出内容に応じて複数のグループに分けて記憶しており、前記説明演出決定手段（４５０，Ｓ１８３４）は、前記記憶手段にて記憶された前記利用回数に基づいて前記遊技者の遊技経験を判定し、該判定した前記遊技者の遊技経験に基づいて前記説明演出手段（４５０，Ｓ２３１２，Ｓ２３１４）に記憶された前記複数のグループを選定し、さらに、該選定したグループの演出内容から１つの演出内容を選定して説明の演出を行うことを特徴とする遊技機（１００）である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
遊技者所有の遊技用価値を用いて持点を加算する遊技用装置と通信可能に接続するための接続部を備え、持点による遊技が可能であり、入賞の発生に応じて持点が加算される遊技機であって、
遊技への使用および入賞の発生に応じた持点の変化量を特定する特定手段と、
前記変化量を特定可能な更新情報を前記遊技用装置へ送信する情報送信手段と、
前記更新情報として前記情報送信手段が送信する変化量を記憶するとともに前記更新情報として１回前に前記情報送信手段が送信した変化量をバックアップするための２つの変化量記憶手段と、
前記遊技用装置から送信されてきた所定の情報に基づいて前記遊技用装置への前記更新情報の到達を判定する到達判定手段と、
所定条件が成立した場合に、持点による遊技が行なわれない状態にするための遊技禁止手段とを含み、
前記情報送信手段は、前記到達判定手段により前記更新情報が到達したと判定されなかったときに、前記２つの変化量記憶手段に記憶された変化量の合算値を特定可能な更新情報を前記遊技用装置へ送信する、遊技機。
【手続補正２】
【補正対象書類名】明細書
【補正対象項目名】００１２
【補正方法】変更
【補正の内容】
【００１２】
（１）  遊技者所有の遊技用価値（プリペイド残高、持玉数、あるいは貯玉数）を用いて持点を加算する遊技用装置（カードユニット３）と通信可能に接続するための接続部（接続部２０）を備え、持点による遊技が可能であり、入賞の発生に応じて持点が加算される遊技機（パチンコ機２）であって、
遊技への使用および入賞の発生に応じた持点の変化量（加算玉数、減算玉数）を特定する特定手段（遊技機制御用のマイクロコンピュータ、加算玉数カウンタ、減算玉数カウンタ）と、
前記変化量を特定可能な更新情報（加算玉数および減算玉数を含む動作応答）を前記遊技用装置へ送信する情報送信手段（玉数制御基板１７）と、
前記更新情報として前記情報送信手段が送信する変化量を記憶するとともに前記更新情報として１回前に前記情報送信手段が送信した変化量をバックアップするための２つの変化量記憶手段（図４；現加算玉数を記憶する加算玉数カウンタ、現減算玉数をカウントする減算玉数カウンタ、前回玉関連情報としての前加算玉数を記憶する領域および前減算玉数を記憶する領域）と、
前記遊技用装置から送信されてきた所定の情報（ＳＱＮ）に基づいて前記遊技用装置へ前記更新情報が到達したことを判定する到達判定手段（玉数制御基板１７、図２７）と、
所定条件が成立した場合に、持点による遊技が行なわれない状態にするための遊技禁止手段とを含み、
前記情報送信手段は、前記到達判定手段により前記更新情報が到達したと判定されなかったときに、前記２つの変化量記憶手段に記憶された変化量の合算値を特定可能な更新情報を前記遊技用装置へ送信する（図２７）。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技の進行を制御する遊技制御手段と、
前記遊技制御手段からの情報にもとづいて演出を制御する演出制御手段とを備え、
前記遊技制御手段は、
未だ開始していない可変表示について、保留記憶として記憶する保留記憶手段と、
前記有利状態に制御するか否かを決定する決定手段と、
前記決定手段の決定前に、前記有利状態に制御されるか否かを判定する判定手段と、
前記保留記憶手段が記憶する保留記憶が増加したときに保留記憶情報を送信する保留記憶情報送信手段と、
前記判定手段の判定結果を示す判定結果情報を送信する判定結果情報送信手段とを含み、
前記演出制御手段は、前記判定結果情報にもとづいて、前記判定手段による判定の対象となった可変表示が開始される以前に予告演出を実行するための制御を行う予告演出制御手段を含み、
前記演出制御手段が一の保留記憶にもとづいて送信された前記保留記憶情報を正常に受信した場合であっても、少なくとも前記一の保留記憶にもとづいて送信された前記判定結果情報を取りこぼしたことを含む前記判定結果情報を正常に受信することができなかった場合に、前記一の保留記憶にもとづく可変表示が開始されるまでは前記予告演出の実行を制限する予告演出制限手段と、
少なくとも前記予告演出の実行前に特定演出を実行可能な特定演出実行手段とを備えた
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明は、予告演出の信頼性が低下することを防止できる遊技機を提供することを目的とする。
【手続補正５】
【補正対象書類名】明細書
【補正対象項目名】００１１
【補正方法】変更
【補正の内容】
【００１１】
（手段１）本発明による遊技機は、可変表示を行い、遊技者にとって有利な有利状態（例えば、大当り遊技状態）に制御可能な遊技機であって、遊技の進行を制御する遊技制御手段と、遊技制御手段からの情報にもとづいて演出を制御する演出制御手段とを備え、遊技制御手段は、未だ開始していない可変表示について、保留記憶として記憶する保留記憶手段（例えば、第１保留記憶バッファ、第２保留記憶バッファ）と、有利状態に制御するか否かを決定する決定手段（例えば、遊技制御用マイクロコンピュータ５６０におけるステップＳ６１を実行する部分）と、決定手段の決定前に、有利状態に制御されるか否かを判定する判定手段と、保留記憶手段が記憶する保留記憶が増加したときに保留記憶情報を送信する保留記憶情報送信手段と、判定手段の判定結果を示す判定結果情報を送信する判定結果情報送信手段とを含み、演出制御手段は、判定結果情報にもとづいて、判定手段による判定の対象となった可変表示が開始される以前に予告演出を実行するための制御を行う予告演出制御手段（例えば、演出制御用マイクロコンピュータ１００におけるステップＳ８０１８の後にステップＳ８０２１，Ｓ８１０５を実行またはステップＳ８３１７を実行する部分）を含み、演出制御手段が一の保留記憶にもとづいて送信された保留記憶情報を正常に受信した場合であっても、少なくとも一の保留記憶にもとづいて送信された判定結果情報を取りこぼしたことを含む判定結果情報を正常に受信することができなかった場合に、一の保留記憶にもとづく可変表示が開始されるまでは予告演出の実行を制限する予告演出制限手段と、少なくとも予告演出の実行前に特定演出（例えば、図５５（３）（４）、図５６（３）（４）、図５７（３）、図５８（３）、図５９（３）（４）および図６０（３）（４）に示す態様の導入演出）を実行可能な特定演出実行手段（例えば、演出制御用マイクロコンピュータ１００におけるステップＳ８１０７の後にステップＳ８１０５を実行する部分）とを備えたことを特徴とする。
そのような構成により、予告演出の信頼性が低下することを防止することができる。
【手続補正書】
【提出日】平成27年12月14日(2015.12.14)
【手続補正１】
【補正対象書類名】明細書
【補正対象項目名】００２５
【補正方法】変更
【補正の内容】
【００２５】
第２の整流回路４６から出力される直流電圧Ｖ４６は、ダイオード３６を介して蓄電デバイス３８に供給され、蓄電デバイス３８に電力が蓄えられる。
蓄電デバイス３８は、例えば電気二重層コンデンサーで構成されている。
蓄電デバイス３８に蓄えられた電力は待機制御回路４０、第１のスイッチ回路２１、第２のスイッチ回路２２、及びパワーオンオフ信号入力手段８に供給される。
【手続補正２】
【補正対象書類名】明細書
【補正対象項目名】００２８
【補正方法】変更
【補正の内容】
【００２８】
該発振の開始後は、スイッチングトランス１８のドライブ巻線１８ｃに誘起される電圧を整流することで得られる、定常的な低電位、大電流の電圧によって、スイッチング電源制御回路２４にオンオフ制御を継続させる。
電圧Ｖ４４は高電位であることから、仮に、整流電圧Ｖ４４から、スイッチング電源制御回路２４の定常動作に必要な低電位、大電流の電力を生成しようとすると、ＤＣ−ＤＣコンバータのような、さらなるスイッチング電源を付加することが必要になるが、そのような構成は、部品点数が多く、コストが高いことから、用途によっては、適切ではない。本発明では、電圧Ｖ４４を起動電圧用抵抗１６を介してスイッチング電源制御回路２４に供給しており、複雑な回路を用いることなく、簡単な回路で起動を可能にしている。
【手続補正３】
【補正対象書類名】明細書
【補正対象項目名】００５１
【補正方法】変更
【補正の内容】
【００５１】
このようにして、図２のスイッチ回路で構成される第１のスイッチ回路２１及び第２のスイッチ回路２２がともにオン状態になり、スイッチング電源制御回路２４に起動電圧と駆動電圧が印加される。この結果、スイッチング電源は動作を開始し、蓄電デバイス３８が充電され、待機制御回路４０に電源電圧が供給され、その後は、待機制御回路４０は、制御信号Ｄ４０を出力する（ハイレベルにする）ことが可能となり、この結果、第１のスイッチ回路２１及び第２のスイッチ回路２２の制御を安定して行うことが可能となる。
【手続補正４】
【補正対象書類名】明細書
【補正対象項目名】００７７
【補正方法】変更
【補正の内容】
【００７７】
そこで、電気機器２を『待機状態から通常動作状態へ移行』するための命令Ｄ８ｎがパワーオンオフ入力手段８から入力され、動作決定回路６１がスイッチ回路２１、２２をオン状態にすべきことを示す信号を出力すると（図６（ａ）に示すように、時刻ｔ１１に動作指示信号Ｄ６１を第１の状態（ハイレベル）にすると）、タイミング決定回路６２は、まず、第２の制御信号Ｄ６０ｂを第１の状態に変化させ（図６（ｃ）に示すように時刻ｔ１２にローレベルからハイレベルに変化させ）、これにより、第２のスイッチ回路２２をオン状態にし、これにより、駆動電圧を直ちに供給開始できるようにする。
次にタイミング決定回路６２は、第１の制御信号Ｄ６０ａを第１の状態に変化させ（図６（ｂ）に示すように時刻ｔ１３にローレベルからハイレベルに変化させ）、これにより、第１のスイッチ回路２１をオン状態にし、これにより、起動電圧をスイッチング電源制御回路２４に供給できるようにする。
【手続補正５】
【補正対象書類名】明細書
【補正対象項目名】００７８
【補正方法】変更
【補正の内容】
【００７８】
この動作によってスイッチング電源制御回路２４、スイッチング素子２６、起動電圧入力端子２４ａ、及び起動電圧用抵抗１６にストレスを加えることなく、電気機器２を『待機状態から通常動作状態に移行』させることができる。
電気機器２が通常動作状態になってから一定時間が経過した後、時刻ｔ１４に、タイミング決定回路６２は制御信号Ｄ６０ａをローレベルに変化させ（図６（ｂ））、スイッチ回路２１をオフ状態にする。これにより、スイッチング電源制御回路２４には起動電圧が入力されなくなるが、すでに駆動電圧の供給が開始されているので、スイッチング電源制御回路２４は通常動作状態を継続する。この状態では起動電圧用抵抗１６に整流電圧Ｖ４４から電流が流れなくなり、第１のスイッチ回路２１に供給される制御信号がローレベルになるので、通常動作状態の電気機器２の消費電力をも抑制する効果が得られる。
【手続補正６】
【補正対象書類名】明細書
【補正対象項目名】００８０
【補正方法】変更
【補正の内容】
【００８０】
制御信号Ｄ６０ａ、Ｄ６０ｂを図６（ａ）〜（ｃ）に示すように変化させて、電気機器２を通常動作状態に移行させた場合、その状態から待機状態に移行させるときに、動作決定回路６１からタイミング決定回路６２に入力される動作指示信号Ｄ６１と、タイミング決定回路６２から第１のスイッチ回路２１に入力される制御信号Ｄ６０ａと、タイミング決定回路６２から第２のスイッチ回路２２に入力される制御信号Ｄ６０ｂと、電気機器２の状態の変化は図７（ａ）〜（ｄ）に示す如くである。
即ち、動作決定回路６１からの動作指示信号Ｄ６１が図７（ａ）に示されるように時刻ｔ２１にローレベルに変化したら、タイミング決定回路６２は、第２の制御信号Ｄ６０ｂをローレベルに切替えることで第２のスイッチ回路２２をオフ状態にし、これにより、時刻ｔ２３に、スイッチング電源制御回路２４への駆動電圧の入力を停止させる（図７（ｃ））。即ち、図７（ｂ）に示すように、制御信号Ｄ６０ａは図７（ｂ）に示すようにロー状態にあり、起動電圧は印加されていないので、そのままの状態を維持すればよい。
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
振動アクチュエータと、
設定された周波数の信号を与えることによって前記振動アクチュエータの駆動を制御する制御ユニットと、
前記振動アクチュエータの環境温度を検出する温度検出手段を有する駆動装置であって、
前記制御ユニットは、
前記振動アクチュエータの環境温度と、前記振動アクチュエータが駆動を開始するときの周波数である起動周波数の関係を示す情報を記憶する記憶手段と、
前記振動アクチュエータに与えられる信号の周波数を変化させることにより前記振動アクチュエータの起動周波数を取得し、該取得された起動周波数によって前記記憶手段に記憶された前記情報を更新する更新手段と、
を有することを特徴とする駆動装置。
【請求項２】
前記更新手段は、前記温度検出手段によって検出された環境温度における前記起動周波数を取得するために与えられる初期信号の周波数である初期周波数を、前記検出された環境温度と前記記憶手段に記憶された情報に基づいて設定することを特徴とする請求項１に記載の駆動装置。
【請求項３】
前記更新手段は、前記記憶手段に記憶された環境温度に対応する起動周波数より所定量だけ高い周波数を前記初期周波数として設定することを特徴とする請求項２に記載の駆動装置。
【請求項４】
前記更新手段は、前記温度検出手段によって検出された環境温度に対応する前記起動周波数が前記記憶手段に記憶されていないときには、前記記憶手段に記憶されている前記環境温度と前記起動周波数の関係を示す情報を用いて、前記環境温度に対応する前記起動周波数を補間によって求めることを特徴とする請求項１乃至３のうちいずれか１項に記載の駆動装置。
【請求項５】
前記更新手段は、前記温度検出手段によって検出された環境温度に対応する前記起動周波数が前記記憶手段に記憶されていないときには、前記記憶手段に記憶されている前記環境温度に対応する代表値を、前記環境温度に対応する前記起動周波数として取得することを特徴とする請求項１乃至３のうちいずれか１項に記載の駆動装置。
【請求項６】
前記更新手段は、前記温度検出手段によって検出された環境温度に対応する前記起動周波数が前記記憶手段に記憶されていないときには、前記振動アクチュエータに与えることが可能な周波数の最大値を前記初期周波数として設定することを特徴とする請求項１乃至３のうちいずれか１項に記載の駆動装置。
【請求項７】
前記振動アクチュエータの駆動を検出する駆動検出手段を更に有し、
前記更新手段は、前記駆動検出手段の検出結果に基づいて前記振動アクチュエータの起動周波数を取得することを特徴とする請求項１乃至６のうちいずれか１項に記載の駆動装置。
【請求項８】
請求項１乃至７のうちいずれか１項に記載の駆動装置と、該駆動装置によって駆動される光学部材を有することを特徴とするレンズ装置。
【手続補正２】
【補正対象書類名】明細書
【補正対象項目名】発明の名称
【補正方法】変更
【補正の内容】
【発明の名称】振動アクチュエータの駆動装置およびレンズ装置
【手続補正３】
【補正対象書類名】明細書
【補正対象項目名】０００６
【補正方法】変更
【補正の内容】
【０００６】
本発明は、振動アクチュエータを目標回転数にするための周波数を迅速に得ることが可能な振動アクチュエータの駆動装置を提供することを例示的な目的としている。
【手続補正４】
【補正対象書類名】明細書
【補正対象項目名】０００７
【補正方法】変更
【補正の内容】
【０００７】
本発明の駆動装置は、振動アクチュエータと、設定された周波数の信号を与えることによって前記振動アクチュエータの駆動を制御する制御ユニットと、前記振動アクチュエータの環境温度を検出する温度検出手段を有する駆動装置であって、前記制御ユニットは、前記振動アクチュエータの環境温度と、前記振動アクチュエータが駆動を開始するときの周波数である起動周波数の関係を示す情報を記憶する記憶手段と、前記振動アクチュエータに与えられる信号の周波数を変化させることにより前記振動アクチュエータの起動周波数を取得し、該取得された起動周波数によって前記記憶手段に記憶された前記情報を更新する更新手段と、を有することを特徴とする。
【手続補正５】
【補正対象書類名】明細書
【補正対象項目名】０００８
【補正方法】変更
【補正の内容】
【０００８】
本発明によれば、個体差が考慮されるので、振動アクチュエータを目標回転数にするための周波数を迅速に得ることが可能な振動アクチュエータの駆動装置を提供することができる。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
基材の一方の面に、転写性保護層が設けられた保護層転写シートであって、
前記転写性保護層を構成する層のうち、前記基材から最も近い位置にある保護層は、ガラス転移温度（Ｔｇ）が１００℃以上のアクリル系樹脂、ガラス転移温度（Ｔｇ）が１００℃以上の共重合体、及びタルクを含有しており、
前記ガラス転移温度（Ｔｇ）が１００℃以上の共重合体が、メチルメタクリレートとスチレンモノマーとの共重合体であることを特徴とする保護層転写シート。
【請求項２】
前記保護層は、当該保護層に含まれる樹脂成分の固形分総質量に対し、前記タルクを２質量％以上１０質量％以下の範囲内で含有しており、
前記タルクの比表面積が１０ｍ2／ｇ以下であることを特徴とする請求項１に記載の保護層転写シート。
【請求項３】
前記保護層は、リン酸エステル、オレフィン・マレイン酸共重合体、アミノポリエーテル変性シリコーンオイルの群から選択される１種、又は２種以上を含有していることを特徴とする請求項１又は２に記載の保護層転写シート。
【手続補正２】
【補正対象書類名】明細書
【補正対象項目名】０００９
【補正方法】変更
【補正の内容】
【０００９】
上記課題を解決するための本発明は、基材の一方の面に、転写性保護層が設けられた保護層転写シートであって、前記転写性保護層を構成する層のうち、前記基材から最も近い位置にある保護層は、ガラス転移温度（Ｔｇ）が１００℃以上のアクリル系樹脂、ガラス転移温度（Ｔｇ）が１００℃以上の共重合体、及びタルクを含有しており、前記ガラス転移温度（Ｔｇ）が１００℃以上の共重合体が、メチルメタクリレートとスチレンモノマーとの共重合体であることを特徴とする。
また、一実施形態の発明は、基材の一方の面に、転写性保護層が設けられた保護層転写シートであって、前記転写性保護層を構成する層のうち、前記基材から最も近い位置にある保護層は、ガラス転移温度（Ｔｇ）が１００℃以上のアクリル系樹脂、及びタルクを含有していることを特徴とする。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記通過口を介して発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、前記金属板材の先端から前記分割線に向けて斜状に形成され、
さらに、前記金属板材における前記直角方向に屈曲していない非屈曲部の面積は、前記直角方向に屈曲している部位の面積よりも大きい
ことを特徴とする遊技機。
【手続補正２】
【補正対象書類名】明細書
【補正対象項目名】０００６
【補正方法】変更
【補正の内容】
【０００６】
手段１：遊技機において、
「複数の遊技媒体を貯留可能な貯留手段と、
前記貯留手段に貯留された遊技媒体を通過口を介して発射位置に送り出す球送り手段と、
前記球送り手段により前記通過口を介して発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、前記金属板材の先端から前記分割線に向けて斜状に形成され、
さらに、前記金属板材における前記直角方向に屈曲していない非屈曲部の面積は、前記直角方向に屈曲している部位の面積よりも大きい」ものであることを特徴とする。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記通過口を介して発射位置に送り出された遊技媒体を遊技領域に向けて一つずつ発射可能な発射手段と、
前記球送り手段に設けられる不正防止部材と、
を具備する遊技機であって、
前記不正防止部材は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成されているものであって、
前記球送り部材は、前記不正防止部材を収容可能な収容部を有し、
前記不正対策部材は、前記通過口の開口縁のうち、前記発射位置から発射された遊技媒体の進行方向側の部位に前記隙間が位置するように、前記収容部に収容される
ことを特徴とする遊技機。
【手続補正２】
【補正対象書類名】明細書
【補正対象項目名】０００６
【補正方法】変更
【補正の内容】
【０００６】
手段１：遊技機において、
「複数の遊技媒体を貯留可能な貯留手段と、
前記貯留手段に貯留された遊技媒体を通過口を介して発射位置に送り出す球送り手段と、
前記球送り手段により前記通過口を介して発射位置に送り出された遊技媒体を遊技領域に向けて一つずつ発射可能な発射手段と、
前記球送り手段に設けられる不正防止部材と、
を具備する遊技機であって、
前記不正防止部材は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成されているものであって、
前記球送り部材は、前記不正防止部材を収容可能な収容部を有し、
前記不正対策部材は、前記通過口の開口縁のうち、前記発射位置から発射された遊技媒体の進行方向側の部位に前記隙間が位置するように、前記収容部に収容される」ものであることを特徴とする。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記通過口を介して発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、前記金属板材の先端から前記分割線に向けて斜状に形成され、
前記前扉が閉鎖された状態になることで前記通過口を介して遊技媒体を前記発射位置に送出可能になる
ことを特徴とする遊技機。
【手続補正２】
【補正対象書類名】明細書
【補正対象項目名】０００６
【補正方法】変更
【補正の内容】
【０００６】
手段１：遊技機において、
「遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記通過口を介して発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、前記金属板材の先端から前記分割線に向けて斜状に形成され、
前記前扉が閉鎖された状態になることで前記通過口を介して遊技媒体を前記発射位置に送出可能になる」ものであることを特徴とする。
【誤訳訂正書】
【提出日】平成28年7月1日(2016.7.1)
【誤訳訂正１】
【訂正対象書類名】特許請求の範囲
【訂正対象項目名】全文
【訂正方法】変更
【訂正の内容】
【特許請求の範囲】
【請求項１】
１つ又は複数の飲料原料を処理して飲料を供給する原料処理装置（４０）であって、前記原料処理装置及び／又は飲料調製処理のパラメータを測定するための複数のセンサを備えている原料処理装置（４０）と、
前記複数のセンサから情報を受信し、前記１つ又は複数の飲料原料の処理を制御するために、双方向通信経路（４２１）を通して前記原料処理装置（４０）に接続されている制御部（２１）と、
外部ネットワーク（５０、５１１）と双方向通信するための通信モジュール（１１）と、
双方向データ通信経路（１１１）を通して前記通信モジュールに接続されている通信ユーザインターフェース（１０）と、
を備え、
データ送信制御信号を除いて、前記制御部（２１）は前記通信モジュール（１１）から何のデータも受信しないように、前記制御部（２１）は、一方向データ通信経路（２１１）を通して通信モジュール（１１）にデータを通信するように配置されていることにより、前記制御部（２１）が、飲料調製に関する制御データ又はサービス処理に関する制御データを前記通信モジュール（１１）から受け取ることを阻止され、その結果、前記通信モジュール（１１）は、前記原料処理装置を制御することを阻止される、飲料調製マシン（１）。
【請求項２】
前記制御部（２１）が、データを前記通信モジュール（１１）に通信するように構成され、当該データが、飲料調製処理、前記原料処理装置（４０）、飲料調製設定、及び／又は前記制御部（２１）のうちの少なくとも１つに関するものである、請求項１に記載の飲料調製マシン。
【請求項３】
前記複数のセンサが前記通信モジュール（１１）に接続されていない、請求項１又は２に記載の飲料調製マシン。
【請求項４】
前記制御部（２１）が飲料調製ユーザインターフェース（２０）に接続されている、請求項１〜３のいずれか一項に記載の飲料調製マシン。
【請求項５】
前記飲料調製ユーザインターフェース及び前記通信ユーザインターフェースが並置されている、請求項４に記載の飲料調製マシン。
【請求項６】
前記飲料調製ユーザインターフェース（２０）が前記通信ユーザインターフェース（１０）と同一面にある、請求項５に記載の飲料調製マシン。
【請求項７】
前記飲料調製ユーザインターフェース（２０）及び前記通信ユーザインターフェース（１０）が単一のユーザインターフェース画面（２）に配置されている、請求項５又は６に記載の飲料調製マシン。
【請求項８】
前記原料処理装置（４０）、前記制御部（２１）、及び前記通信モジュール（１１）を収容する筺体を備えている、請求項１〜７のいずれか一項に記載の飲料調製マシン。
【請求項９】
前記通信モジュール（１１）が、特定のサービスを実行するための要求、当該飲料調製マシン（１）を修理するための要求、及び当該飲料調製マシンで処理される特定の原料に関する情報のうちの少なくとも１つに関する情報を前記外部ネットワーク（５０、５１１）から受信し、前記通信ユーザインターフェース（１０）を通して通信するように構成される、請求項１〜８のいずれか一項に記載の飲料調製マシン。
【請求項１０】
前記通信モジュール（１１）が、ユーザによる当該飲料調製マシン（１）の取扱いと、広告と、飲料処理のための１つ又は複数の原料に関する一般的な情報と、前記飲料若しくは前記飲料の調製若しくは前記飲料の消費に関する雰囲気を作るための視覚効果及び／又は音楽と、ニュース及び／又は天気予報とに関する情報を前記外部ネットワーク（５０、５１１）から受信し、前記通信ユーザインターフェース（１０）を通して通信するように構成される、請求項１〜９のいずれか一項に記載の飲料調製マシン。
【誤訳訂正２】
【訂正対象書類名】明細書
【訂正対象項目名】００５０
【訂正方法】変更
【訂正の内容】
【００５０】
図３のアーキテクチャでは、制御部２１は、一方向データ通信経路２１１を通して通信モジュール１１にデータを通信するように構成される。適切な通信を確保するために必要な情報や信号のための要求、例えばデータ送信制御信号などを除いて、制御部２１は、通信モジュール１１から何のデータも受信しないことになる。逆に、制御部２１から通信モジュール１１に転送されるデータは、飲料調製処理、原料処理装置４０、制御部２１内に格納される飲料調製設定、及び／又は、例えば、ネットワーク５１１に遠隔接続されるステーション５０であらゆる故障を確認することを考慮して、制御部２１の状況のうちの少なくとも１つに関連することができる。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記複数のリールを用いた遊技を行う際に必要な規定数の遊技媒体をベットするためのベット操作を含む所定の遊技操作を受け付ける遊技操作受付手段と、
所定の貯留許可条件を充足する遊技媒体を、貯留することが許容される最大数としての最大貯留許容数を超えない範囲において貯留する遊技媒体貯留手段と、
遊技者により投入された遊技媒体である投入遊技媒体に対する受入状態を、受入れを可能とする受入可能状態と受入れを不可とする受入不可状態との間で切り替えるように制御する投入遊技媒体受入状態制御手段と、
成立時には自動でベット処理を行うことで次の遊技を行うことが許可されるように構成された再遊技役を含む複数の遊技役の中から、成立することが許容される遊技役を選出するための役決定処理を行う役決定手段と、
前記複数のリールの駆動を制御するリール制御手段と、
演出を実行可能なサブ制御手段と、
前記再遊技役の成立に基づき実行する前記ベット処理を、前記再遊技役が成立した後に所定期間実行しないように制御する自動ベット処理実行時期制御手段と、を備えたスロットマシンであって、
前記投入遊技媒体受入状態制御手段は、
前記役決定処理を開始するための開始操作を受け付けると前記投入遊技媒体に対する受入状態を前記受入不可状態とするように制御し、
前記開始操作に基づく一の遊技が終了してから次の遊技の前記役決定処理を開始するための開始操作の受け付けが行われるまでの期間のうち少なくとも所定の期間である遊技非実行期間においては、
前回の遊技において前記再遊技役が成立した状態で、前記自動ベット処理実行時期制御手段により前記ベット処理を所定期間実行しないように制御した後の状態において、前記遊技媒体貯留手段により貯留されている遊技媒体の数が前記最大貯留許容数に達しているならば前記投入遊技媒体に対する受入状態を前記受入不可状態とし、前記最大貯留許容数に達していないならば前記投入遊技媒体に対する受入状態を前記受入可能状態とするように制御し、
前記サブ制御手段は、少なくとも前記再遊技役成立後の前記所定期間において、前記再遊技役が成立したことを報知するための演出を実行するように制御する、ことを特徴とするスロットマシン。
【手続補正２】
【補正対象書類名】明細書
【補正対象項目名】００１９
【補正方法】変更
【補正の内容】
【００１９】
上記目的を達成するため本発明に係るスロットマシンは、以下の特徴を備えている。なお、以下の特徴構成の説明では、後述する実施形態において対応する構成の一例を括弧書きで示している。
請求項１の本発明に係るスロットマシンは、複数種類の図柄を可変表示する複数のリールと、前記複数のリールを用いた遊技を行う際に必要な規定数の遊技媒体（例えば、遊技メダル）をベットするためのベット操作を含む所定の遊技操作を受け付ける遊技操作受付手段（例えば、遊技操作処理時機導出手段１０６）と、所定の貯留許可条件を充足する遊技媒体を、貯留することが許容される最大数としての最大貯留許容数（例えば、最大クレジット許容数）を超えない範囲において貯留する遊技媒体貯留手段（例えば、ベット管理手段１０５）と、遊技者により投入された遊技媒体である投入遊技媒体に対する受入状態を、受入れを可能とする受入可能状態と受入れを不可とする受入不可状態との間で切り替えるように制御する投入遊技媒体受入状態制御手段（例えば、ブロッカ制御手段１０８）と、成立時には自動でベット処理を行うことで次の遊技を行うことが許可されるように構成された再遊技役を含む複数の遊技役の中から、成立することが許容される遊技役を選出するための役決定処理を行う役決定手段と、前記複数のリールの駆動を制御するリール制御手段と、演出を実行可能なサブ制御手段（例えば、副制御手段２００）と、前記再遊技役の成立に基づき実行する前記ベット処理を、前記再遊技役が成立した後に所定期間実行しないように制御する自動ベット処理実行時期制御手段と、を備えたスロットマシンであって、前記投入遊技媒体受入状態制御手段は、前記役決定処理を開始するための開始操作を受け付けると前記投入遊技媒体に対する受入状態を前記受入不可状態とするように制御し、前記開始操作に基づく一の遊技が終了してから次の遊技の前記役決定処理を開始するための開始操作の受け付けが行われるまでの期間のうち少なくとも所定の期間である遊技非実行期間においては、前回の遊技において前記再遊技役が成立した状態で、前記自動ベット処理実行時期制御手段により前記ベット処理を所定期間実行しないように制御した後の状態において、前記遊技媒体貯留手段により貯留されている遊技媒体の数が前記最大貯留許容数に達しているならば前記投入遊技媒体に対する受入状態を前記受入不可状態とし、前記最大貯留許容数に達していないならば前記投入遊技媒体に対する受入状態を前記受入可能状態とするように制御し、前記サブ制御手段は、少なくとも前記再遊技役成立後の前記所定期間において、前記再遊技役が成立したことを報知するための演出を実行するように制御する、ことを特徴とする。